(57)【要約】【課題】メンテナンス性の向上を図った流体貯蔵装置及び流体供給装置を提供する。【解決手段】石鹸液タンク体は、石鹸液が貯蔵されている。供給機構体４は、石鹸液タンク体の受け皿部９４に設けた注口９１ａを覆い、石鹸液タンク体に着脱自在に取り付けられている。石鹸液タンク体は、供給機構体４に向かって延在し、先端が注口９１ａから離れる方向に曲がった連結ガイド７を有する。供給機構体４は、連結ガイド７に沿って移動自在に当該連結ガイド７に連結された連結軸４３を有する。連結ガイド７の上端７２は、連結軸４３の連結突起４３ｂと当接するストッパとして機能する。供給機構体４は、石鹸液タンク体の注口９１ａを囲み、連結軸４３を収容する収容部４５を有し、収容部４５下端は、連結突起４２ｂが連結ガイド７の上端７２と当接しているときに連結ガイド７に当接する。これにより、供給機構体４を石鹸液タンク体から離して斜めに傾けた状態で保持できる。【選択図】図７
2018002223.tif 000002
【特許請求の範囲】
【請求項１】
第１流体を貯蔵するためのタンクと、前記タンクの第１流体の注口を覆い、前記タンクに着脱自在に取り付けられた蓋体と、を備えた流体貯蔵装置において、
前記タンクは、前記蓋体に向かって延在し、先端が前記注口から離れる方向に曲がったレールを有し、
前記蓋体は、レールに沿って移動自在に当該レールに連結された連結部を有し、
前記レールの先端には、前記連結部と当接するストッパが設けられていることを特徴とする流体貯蔵装置。
【請求項２】
前記蓋体は、前記タンクの注口を囲み、前記連結部を収容する筒部を有し、
前記筒部の端部は、前記連結部が前記ストッパと当接しているときに前記レールに当接することを特徴とする請求項１に記載の流体貯蔵装置。
【請求項３】
前記タンクは、前記注口の側面から径方向外側に延在する鍔状部を有し、
前記レールは、前記鍔状部から立設されていることを特徴とする請求項１又は２に記載の流体貯蔵装置。
【請求項４】
請求項１〜３の何れか１項に記載の流体貯蔵装置と、
前記第１流体と第２流体を混合する混合物生成部と、
前記混合部生成部で混合された混合物を吐出する吐出ノズルと、を備え、
前記タンクは、タンク本体と、前記タンク本体を支持するためのベース体を有し、
前記ベース体には、前記混合物生成部と、前記吐出ノズルと、が支持され、
前記蓋体は、前記タンク本体から第１流体を吸い上げて、前記混合物生成部に供給する第１流路と、第２流体を前記混合物生成部に供給する第２流路と、を有することを特徴とする流体供給装置。
【発明の詳細な説明】
【技術分野】
【０００１】
本発明は、流体貯蔵装置及び流体供給装置に関する。
【背景技術】
【０００２】
従来、水石けん液とエアーとを混合し、水石けんをムース状にして吐出するとともに、カウンタ部等の設置台に固定して使用されるソープディスペンサーが開示されている（例えば、特許文献１参照。）。
【０００３】
特許文献１に開示されたソープディスペンサー１０１は、図８に示すように、手洗器のカウンタ部の一部である設置台Ｋに形成された貫通部Ｈに挿入固定される。ソープディスペンサー１０１は、貫通部Ｈに挿入固定された取付管１０２と、取付管１０２の下側に接続保持された水石けん液のタンク１０３と、取付管１０２とは別体に構成されているとともに、取付管１０２に脱着可能に設けられた本体部１０４と、を備えて構成されている。
【０００４】
本体部１０４は、その大部分が、ソープディスペンサー１０１における設置台Ｋの上側に位置するとともに、その全体が取付管１０２から取外し可能とされている。本体部１０４は、ボディ１０５と、このボディ１０５に内蔵されるとともに、水石けん液ポンプ、エアポンプの各機能を有し、水石けん液をポンプ作用で揚液した上、エアーを混合し、ムース状の水石けん液として送出する機構部１０６と、基端がボディ１０５に固定された吐出管１０７と、を備えて構成されている。
【０００５】
吐出管１０７は、その基端の近傍部に、水石けん液とエアーとの混合を促進するためのメッシュ１０８が固定されている。このようなソープディスペンサー１０１は、本体部１０４を取付管１０２から外し、この状態で取付管１０２の開口部に水石けん液を注入することで、取付管１０２を介して水石けん液がタンク１０３に補給される。また、本体部１０４とタンク１０３とはボールチェーン１０９によって連結され、本体部１０４の盗難、紛失防止を図っていた。
【先行技術文献】
【特許文献】
【０００６】
【特許文献１】特開２００９-１６５７６２号公報
【発明の概要】
【発明が解決しようとする課題】
【０００７】
しかしながら、特許文献１に開示された従来のソープディスペンサー１０１にあっては、水石けん液をタンク１０３に補給するときは、本体部１０４をどこかに置いて作業を行う必要があった。このため、本体部１０４の置き場所に困ったり、またボールチェーン１０９などをつたって水石けん液が手洗器にたれて、よごれてしまう恐れがあり、補給時の作業性が悪かった。
【０００８】
本発明の目的は、補給時の作業性の向上を図った流体貯蔵装置及び流体供給装置を提供することにある。
【課題を解決するための手段】
【０００９】
本発明の第１の態様である流体貯蔵装置は、第１流体を貯蔵するためのタンクと、前記タンクの第１流体の注口を覆い、前記タンクに着脱自在に取り付けられた蓋体と、を備えた流体貯蔵装置において、前記タンクは、前記蓋体に向かって延在し、先端が前記注口から離れる方向に曲がったレールを有し、前記蓋体は、レールに沿って移動自在に当該レールに連結された連結部を有し、前記レールの先端には、前記連結部と当接するストッパが設けられていることを特徴とする。
【００１０】
上記の態様においては、前記蓋体は、前記タンクの注口を囲み、前記連結部を収容する筒部を有し、前記筒部の端部が、前記ストッパと当接しているときに前記レールに当接することが好ましい。
【００１１】
上記の態様においては、前記タンクは、前記注口の側面から径方向外側に延在する鍔状部を有し、前記レールは、前記鍔状部から立設されていることが好ましい。
【００１２】
上記の第２の態様である流体供給装置は、上記態様の流体貯蔵装置と、前記第１流体と第２流体を混合する混合物生成部と、前記混合部生成部で混合された混合物を吐出する吐出ノズルと、を備え、前記タンクは、タンク本体と、前記タンク本体を支持するためのベース体を有し、前記ベース体には、前記混合物生成部と、前記吐出ノズルと、が支持され、前記蓋体は、前記タンク本体から第１流体を吸い上げて、前記混合物生成部に供給する第１流路と、第２流体を前記混合物生成部に供給する第２流路と、を有することを特徴とする。
【発明の効果】
【００１３】
本発明の第１の態様である流体貯蔵装置によれば、蓋体をタンクから離す際に蓋体の連結部がタンクのレールに沿って移動する。レールの先端は、注口から離れる方向に曲がっていて、ストッパが設けられているので、蓋体をタンクから外して傾けた状態でタンクに保持できる。このため、蓋体の置き場に困ることもなく、蓋体を傾けたときにできる蓋体とタンクとの隙間から注口に石鹸液を簡単に補充することができ、補充時の作業性の向上を図ることができる。
【００１４】
第２の態様である流体貯蔵装置によれば、蓋体を傾けたときに筒部の端部がレールに当接するので、蓋体を傾けた状態でのタンクの保持力を高めることができる。
【００１５】
第３の態様である流体貯蔵装置によれば、簡単な構成でレールを設けることができる。
【００１６】
第４の態様である流体供給装置によれば、蓋体が、第１流路及び第２流路を有し、タンクのベース体により混合物生成部及び吐出ノズルを支持されている。これによれば、第１流路及び第２流路を混合物生成部から分離して、混合物生成部を露出させることができるから、混合物生成部の清掃などのメンテナンス作業をしやすくすることができる。従って、メンテナンス性の向上を図ることができる。
【図面の簡単な説明】
【００１７】
【図１】本発明の一実施形態にかかる流体貯蔵装置を組み込んだ流体供給装置の断面図である。
【図２】図１に示す流体供給装置を構成する石鹸液タンク体の一部を示す図であり、（Ａ）は断面図であり、（Ｂ）は上面図である。
【図３】図２に示す石鹸液タンク体の一部を示す斜視図である。
【図４】図２に示す石鹸液タンク体に取り付けられる供給機構体を示す断面図である。
【図５】図１に示す石鹸液タンク体に供給機構体を装着させたときの部分断面図である。
【図６】図１に示す石鹸液タンク体から供給機構体を引き上げたときの部分断面図である。
【図７】図１に示す石鹸液タンク体から供給機構体を引き上げた後、傾けたときの部分断面図である。
【図８】特許文献１に開示された従来のソープディスペンサーを示す断面図である。
【発明を実施するための形態】
【００１８】
以下、本発明の一実施形態に係るソープディスペンサー１（流体貯蔵装置、流体供給装置）を、図１から図７を参照して説明する。
【００１９】
ソープディスペンサー１は、第２流体としてのエアーＡと液状の石鹸液Ｓとを混合して生成されたムース状の石鹸液（以下「ムース体」と記す場合がある）を供給するための装置である。このソープディスペンサー１は、例えば洗面台等の水栓の近傍部において、ムース体を吐出するための吐出口が外部に露出するように設置されている。そして、使用者が手洗い等をする際に、ムース体を供給するためのものである。
【００２０】
なお、本実施形態において、ソープディスペンサー１は、水栓が設置された設置台Ｋを上下に貫通する貫通部Ｈに固定される。このように本実施形態のソープディスペンサー１は、設置台Ｋに固定された場合を一例として説明するが、ソープディスペンサー１は、設置台Ｋに固定されていなくともよい。即ち、ソープディスペンサー１は、いずれの部材にも固定されていないとともに、持ち運び自在であってもよい。
【００２１】
ソープディスペンサー１は、図１に示すように、石鹸液Ｓを貯蔵するためのタンクとしての石鹸液タンク体２と、石鹸液タンク体２に支持された混合物吐出ユニット３と、石鹸液タンク体２の石鹸液Ｓの注口９１ａを覆い、石鹸液タンク体２に着脱自在に設けられた蓋体としての供給機構体４と、を備えて構成されている。このソープディスペンサー１は、石鹸液タンク体２が貫通部Ｈに固定された状態で、注口９１ａが、設置台Ｋの上面よりも上方に位置するように固定されている。
【００２２】
石鹸液タンク体２は、液状の石鹸液Ｓを貯留するためのタンク本体としての石鹸液タンク５と、石鹸液タンク体２を設置台Ｋに取り付けるためのベース体６と、供給機構体４に連結するためのレールとしての連結ガイド７と、を備えて構成されている。
【００２３】
ベース体６は、石鹸液タンク５の開口に接続された接続部材８と、接続部材８に接続され、設置台Ｋに支持された支持部材９と、接続部材８及び支持部材９を接続するための連結ナット１０と、を備えて構成されている。
【００２４】
接続部材８は、石鹸液タンク５の開口部５１に取り付けられ、石鹸液タンク５に連通する筒状に設けられている。接続部材８は、接続部本体８１と、接続部本体８１の上端に連続される上側接続部８２と、接続部本体８１の下端に連続される下側接続部８３と、を有して構成されている。接続部本体８１、上側接続部８２及び、下側接続部８３は、上下に同軸に設けられている。接続部本体８１は、上下に延在するとともに内径及び外径が略一定の円筒状に設けられている。上側接続部８２は、内径が接続部本体８１の内径よりも大きくなるように形成されて、支持部材９の下端を当接させる段部８２ａを有している。また、上側接続部８２は、外径が接続部本体８１の外径と略等しい寸法を有して構成されているとともに、その外周面が連結ナット１０の内周面に螺合するように構成されている。下側接続部８３は、内径が接続部本体８１及び上側接続部８２の内径よりも大きくなるように形成されているとともに、石鹸液タンク５の開口部５１に螺合するように構成されている。
【００２５】
支持部材９は、貫通部Ｈに挿入される支持部本体９１と、支持部本体９１の下端に連続されて上側接続部８２に内挿される内挿部９２と、支持部本体９１に外挿されるパッキン９３と、支持部本体９１の上端に設けられた受け皿部９４と、を備えている。支持部本体９１は、上下に延在するとともに内径及び外径が略一定の円筒状に設けられている。支持部本体９１は、貫通部Ｈに挿入可能なように、その外径が、貫通部Ｈの内径よりも小さい寸法となるように形成され、その上端が石鹸液Ｓの注口９１ａとなる。内挿部９２は、外径が支持部本体９１の外径よりも僅かに小さくなるように形成されている。このような支持部材９は、内挿部９２が上側接続部８２に内挿された状態で、上側接続部８２と連結ナット１０が螺合することで固定されている。こうして支持部材９と接続部材８とが連結固定される。
【００２６】
パッキン９３は、受け皿部９４との間に、設置台Ｋを挟む位置に設けられている。パッキン９３が設けられていることで、設置台Ｋの貫通部Ｈと支持部本体９１との隙間が埋められて、支持部本体９１が設置台Ｋにがたつくことなく固定される。受け皿部９４は、図２及び図３に示すように、支持部本体９１の上端に連続されるとともに設置台Ｋの上面に対向するように支持部本体９１から径方向外側に延在する鍔状部９４ａと、鍔状部９４ａの周縁から上方に円筒状に立設される立設壁部９４ｂと、からを備えて構成されている。鍔状部９４ａは、略円形に設けられ、その外径が貫通部Ｈよりも大きくなるように形成されている。受け皿部９４は、設置台Ｋの上側に配置され、受け皿部９４から下垂された支持部本体９１が貫通部Ｈを通って設置台Ｋの下側に突出する。
【００２７】
一対の連結ガイド７は、図２及び図３に示すように、鍔状部９４ａから供給機構体４に向かって延在して設けられている。一対の連結ガイド７はそれぞれ、帯板状に設けられ、板厚方向に対向して設けられている。また、一対の連結ガイド７は、帯幅方向の端面が立設壁部９４ｂと対向するように鍔状部９４ａ上に配置されている。一対の連結ガイド７には各々、後述する連結突起４３ｂが挿入されるガイド溝７１が形成されている。ガイド溝７１は、下端から供給機構体４に向かって沿って延在し、先端（上端）が注口９１ａから離れる方向に曲げて設けられている。ガイド溝７１の上端は、連結ガイド７の上端７２（ストッパ）より閉じられている。これにより、後述する連結突起４３ｂは、ガイド溝７１の上端まで移動すると連結ガイド７の上端７２に当接して、ガイド溝７１から抜けることがない。
【００２８】
上記ガイド溝７１は、図５に示すように、下ガイド溝７１ａ、中央ガイド溝７１ｂ、上ガイド溝７１ｃから形成されている。下ガイド溝７１ａは、ガイド溝７１の下端から供給機構体４に向かって上下方向に沿って延在している。中央ガイド溝７１ｂは、下ガイド溝７１ａの上端に連続し、上方に向かうに従って注口９１ａから離れる方向に傾斜して形成されている。上ガイド溝７１ｃは、ガイド溝７１の上端に位置し、中央ガイド溝７１ｂの上端に連続する。上ガイド溝７１ｃは、水平方向の注口９１ａから離れる方向に沿って設けられている。下ガイド溝７１ａの溝長さが一番長く、その次に中央ガイド溝７１ｂの溝長さが長く、上ガイド溝７１ｃの溝長さが一番短い。
【００２９】
混合物吐出ユニット３は、図２及び図３に示すように、供給機構体４の経路集合部４１（図１に示す）により移送された空気（「エアーＡ」と記す場合もある）及び石鹸液Ｓを混合してムース体を生成するとともに、生成されたムース体を吐出するためのものである。混合物吐出ユニット３は、図２などに示すように、受け皿部９４の鍔状部９４ａ上面に支持された混合物生成部３１と、混合物生成部３１にて生成されたムース体を吐出するための吐出ノズル３２と、を備えている。本実施形態では、吐出ノズル３２は、受け皿部９４に取り付けられて、固定されている。
【００３０】
混合物生成部３１は、上記ベース体６に支持され、供給機構体４には支持されていない。混合物生成部３１は、その上面から凹に形成された混合物生成室３１ａと、受け皿部９４の径方向の外側から凹に形成されて後述するノズル支持部３２ｃを固定する支持受け部３１ｂと、混合物生成室３１ａと支持受け部３１ｂとに連通されて、混合物生成室３１ａにて生成されたムース体を吐出ノズル３２に移送するためのムース体移送経路３１ｃと、を有している。混合物生成室３１ａは、後述する吐出口４１ｂ１と対向する位置にある底部３１ａ１と、底部３１ａ１から立設する筒状部３１ａ２と、を有して構成されている。底部３１ａ１は、上下方向に直交する方向に延在して設けられている。
【００３１】
吐出ノズル３２は、筒状のノズル本体３２ａと、吐出ノズル３２の内部に固定されてムース体を通過させる合成樹脂製のメッシュ部材３２ｂと、ノズル本体３２ａの基端部に設けられて、ノズル本体３２ａを受け皿部９４に支持させるノズル支持部３２ｃと、を備えている。ノズル支持部３２ｃが、混合物生成部３１の支持受け部３１ｂに嵌められると、ノズル本体３２ａは、受け皿部９４の立設壁部９４ｂから径方向の外側に向かって突出して支持される。メッシュ部材３２ｂは、該メッシュ部材３２ｂをムース体が通過することで、極め細やかなムース体が生成される。なお、本実施形態では、メッシュ部材３２ｂの一例として、合成樹脂製のものを例示したが、例えば、メッシュ部材３２ｂは、金属製であってもよく、当該メッシュ部材３２ｂに代えて多数の小穴を有する板状部材等の多孔体等の網状体を用いてもよい。または、メッシュ部材３２ｂを用いない構成としてもよい。即ち、メッシュ部材３２ｂは省略してもよい。
【００３２】
供給機構体４は、図４に示すように、石鹸液タンク５に貯蔵された石鹸液Ｓを吸入して混合物生成室３１ａに送出する第１流路としての石鹸液流路（図示せず）及びエアーＡを吸入して混合物生成室３１ａに送出する第２流路としてのエアー流路（図示せず）が形成された経路集合部４１を備えて構成されている。また供給機構体４は、石鹸液吸入路４１ａに接続された吸上げチューブ４２と、ガイド溝７１に沿って移動自在にガイド溝７１に連結される一対の連結軸４３（連結部）と、エアーＡ及び液状の石鹸液Ｓを経路集合部４１内に吸入及び経路集合部４１外に送出させるためのポンプ機構４４と、を備えて構成されている。さらに供給機構体４は、経路集合部４１及びポンプ機構４４を収容する円筒状の収容部４５（筒部）と、この収容部４５の上面を覆うように取り付けられる回転操作部４６と、を備えている。収容部４５の内部には、下から順に、経路集合部４１、ポンプ機構４４が重ねて収容されている。
【００３３】
収容部４５には、その下縁を切り欠いて形成されているとともに、吐出ノズル３２を位置させる切欠き４５ａが形成されている。回転操作部４６は、収容部４５に対して、収容部４５の軸を中心として回転可能に設けられている。そして、回転操作部４６は、ポンプ機構４４に連動されており、回転された際に、ポンプ機構４４を駆動して、その回転に応じた量だけ、エアーＡ及び石鹸液Ｓを経路集合部４１に通す。
【００３４】
経路集合部４１は、中実な円筒体において、適宜な位置に貫通孔が形成されることで図示しない石鹸液流路及びエアー流路を形成している。経路集合部４１には、石鹸液流路に連通され、石鹸液Ｓを吸入する石鹸液吸入路４１ａが下方に突出して形成されている。吸上げチューブ４２は、一端がこの石鹸液吸入路４１ａの下端に連通し、他端が石鹸液タンク５内の石鹸液Ｓに浸されている。また、経路集合部４１には、石鹸液流路及びエアー流路に連通され、石鹸液Ｓ及びエアーＡを吐出する吐出路４１ｂが下方に突出する。吐出路４１ｂは、上下に延在する隔壁によって仕切られ、仕切られた一方から石鹸液Ｓが吐出され、他方からエアーＡが吐出される。吐出路４１ｂには、石鹸液Ｓ及びエアーＡを下方に向けて突出する吐出口４１ｂ１が開口されている。
【００３５】
一対の連結軸４３は、経路集合部４１から下方（石鹸液タンク５側）に向かって突出して設けられた軸部４３ａと、軸部４３ａの下端部に設けられ、一対の連結軸４３の対向方向外側に向かって突出する連結突起４３ｂと、から構成されている。軸部４３ａは、収容部４５に収容されている。連結突起４３ｂは、上述した連結ガイド７のガイド溝７１内に挿入される。連結突起４３ｂは、円柱状に設けられている。このため、供給機構体４は、連結突起４３ｂを中心に回転自在に連結ガイド７に支持される。
【００３６】
続いて、ソープディスペンサー１の組立て手順について説明する。まず、予め、支持部材９の下端を貫通部Ｈに上方から近付けて挿入する。受け皿部９４が設置台Ｋの上面に当接する。次に、パッキン９３を支持部本体９１に外挿し、パッキン９３を支持部本体９１の適宜な位置に移動する。次に、連結ナット１０を支持部本体９１に外挿する。接続部材８の下側接続部８３を石鹸液タンク５の開口部に近付けて螺合する。こうして、石鹸液タンク５と接続部材８が固定される。上側接続部８２の上方から支持部材９の内挿部９２を近づけて、内挿する。この状態で連結ナット１０を螺合する。こうして接続部材８と支持部材９が固定される。最後に、パッキン９３を設置台Ｋの下面に当接する位置まで移動する。こうして、石鹸液タンク５を設置台Ｋの下に取り付けることができる。
【００３７】
この後、収容部４５を、切欠き４５ａを上方から吐出ノズル３２に近付ける。すると、ベース体６の受け皿部９４に、供給機構体４の収容部４５の下端部分が外挿されて、切欠き４５ａ内に吐出ノズル３２が位置される。また、受け皿部９４から突出した一対の連結ガイド７間に収容部４５内に収容された一対の連結軸４３が位置され、一対の連結軸４３の連結突起４３ｂがガイド溝７１内に挿入される。こうして、ベース体６に供給機構体４を取り付けて、ソープディスペンサー１を組み立てる。
【００３８】
このようなソープディスペンサーは、回転操作部４６が回転されると、ポンプ機構４４が駆動される。すると、ポンプ機構４４の駆動により、経路集合部４１のエアー流路から外部から空気（エアーＡ）が取り込まれ、吐出路４１ｂを介して混合物生成部３１にエアーＡが移送される。また、ポンプ機構４４の駆動により、石鹸液Ｓを吸い上げて、吐出路４１ｂを介して石鹸液Ｓを混合物生成部３１に送出する。こうして、混合物生成部３１にエアーＡ及び石鹸液Ｓが送り込まれて、これらが混合されてムース体が生成された後、該ムース体が吐出ノズル３２から吐出される。回転操作部４６が回転している間、ムース体が吐出ノズル３２から吐出される。
【００３９】
次に、石鹸液タンク５に石鹸液を補充する等のメンテナンス作業を行うときの手順について図５〜図７を参照して説明する。図５に示すように、石鹸液タンク体２の受け皿部９４に供給機構体４の収容部４５が外挿され、石鹸液タンク体２に供給機構体４が取り付けられている状態では、連結突起４３ｂは、ガイド溝７１の下端に位置している。この状態から、メンテナンス者が、石鹸液タンク体２から供給機構体４の収容部４５を掴んで引き上げる。すると、図６に示すように、連結突起４３ｂがガイド溝７１に沿って上方に移動し、石鹸液タンク体２から供給機構体４が離れる。連結突起４３ｂがガイド溝７１の上端まで供給機構体４を引き上げると、連結突起４３ｂが連結ガイド７の上端７２と当接する。
【００４０】
その後、図７に示すように、連結突起４３ｂを中心に供給機構体４を傾けると連結軸４３近傍の収容部４５の下端部（図７中点線囲み部参照）が連結ガイド７に当接して、供給機構体４を石鹸液タンク体２から離して傾けた状態で保持できる。このため、収容部４５において連結ガイド７と当接した当接部分と対向する対応部分を大きく石鹸液タンク体２から離すことができる。この大きく空いた供給機構体４と受け皿部９４との間から注口９１ａが露出され、注口９１ａから石鹸液Ｓを流し込むことができる。注口９１ａから流し込まれた石鹸液Ｓは、支持部材９及び接続部材８を通って石鹸液タンク５に補充される。またこのとき吸上げチューブ４２は石鹸液タンク５に挿入されたままであるため、吸上げチューブ４２を伝って石鹸液Ｓが設置台Ｋを汚すことがない。石鹸液Ｓを補充した後は、連結突起４３ｂがガイド溝７１の下端に向かうように、供給機構体４を石鹸液タンク体２に近づけて、受け皿部９４に、供給機構体４の収容部４５の下端部分が外挿されて、切欠き４５ａ内に吐出ノズル３２が位置されるように戻す。
【００４１】
上述した実施形態によれば、供給機構体４を石鹸液タンク体２から離す際に供給機構体４の連結突起４３ｂが石鹸液タンク体２のガイド溝７１に沿って移動する。ガイド溝７１ａの先端は、注口９１ａから離れる方向に曲がっていて、連結ガイド７の上端７２がストッパとして機能しているので、供給機構体４を石鹸液タンク体２から外して傾けた状態で石鹸液タンク体２に保持できる。このため、供給機構体４の置き場に困ることもなく、供給機構体４を傾けたときにできる供給機構体４と石鹸液タンク体２との隙間から注口９１ａに石鹸液Ｓを簡単に補充することができ、補充時の作業性の向上を図ることができる。
【００４２】
上述した実施形態によれば、供給機構体４は、石鹸液タンク体２の注口９１ａを囲み、連結突起４３ｂを収容する収容部４５を有し、収容部４５の下端部が、連結突起４３ｂがガイド溝７１の上端で当接しているときに連結ガイド７に当接する。これにより、連結突起４３ｂを回転自在に設けても、供給機構体４を傾けた状態で保持できる。
【００４３】
上述した実施形態によれば、石鹸液タンク体２は、注口９１ａの側面から径方向外側に延在する鍔状部９４ａを有し、連結ガイド７は、鍔状部９４ａから立設されている。これにより、簡単な構成で連結ガイド７を設けることができる。
【００４４】
また、上述した実施形態によれば、供給機構体４が、石鹸液流路及びエアー流路を有し、石鹸液タンク体２のベース体６により混合物生成部３１及び吐出ノズル３２を支持されている。これによれば、石鹸液流路及びエアー流路を混合物生成部３１から分離して、混合物生成部３１を露出させることができるから、混合物生成部３１の清掃などのメンテナンス作業をしやすくすることができる。従って、メンテナンス性の向上を図ることができる。
【００４５】
なお、上述した実施形態によれば、連結突起４３ｂは円柱状に設けられ、供給機構体４が連結突起４３ｂを中心に回転自在に設けられていたが、これに限ったものではない。たとえば、連結突起４３ｂを四角柱状に設けたり、連結軸４３に連結ガイド７が嵌め込まれる凹溝を設けたりして、回転できないようにしてもよい。この場合、上述した実施形態のように収容部４５の下端部が連結ガイド７に当接しなくても供給機構体４を斜めに傾けた状態で保持できる。しかしながら、回転できないような場合でも、収容部４５の下端が連結ガイド７に当接させるようにしてもよい。この場合、供給機構体４を斜めに傾けた状態での保持力をより高めることができる。
【００４６】
また、上述した実施形態によれば、ソープディスペンサー１は石鹸液Ｓと空気を混合してムース状にして吐出していたが、これに限ったものではない。石鹸液Ｓだけが吐出ノズル３２から吐出されていてもよい。
【００４７】
また、上述した実施形態によれば、供給機構体４に石鹸液流路及びエアー流路が設けられ、ベース体６に混合物生成部３１及び吐出ノズル３２が支持されていて、供給機構体４を取り外したときに混合物生成部３１及び吐出ノズル３２が設置台Ｋ側に固定された状態であったが、これに限ったものではない。例えば、混合物生成部３１及び吐出ノズル３２が、供給機構体４に支持され、供給機構体４と共に石鹸液タンク体２から取り外すことができるようにしてもよい。
【００４８】
また、上述した実施形態においては、第１流体を石鹸液Ｓ、第２流体をエアーＡとする構成としたが、これに限定されるものではなく、例えば、水や飲料などの液体や、酸素や窒素などの気体を第１流体又は第２流体としてもよい。
【００４９】
また、上述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５０】
１  ソープディスペンサー（流体貯蔵装置、流体供給装置）
２  石鹸液タンク体（タンク）
４  供給機構体（蓋体）
５  石鹸液タンク（タンク本体）
６  ベース体
７  連結ガイド（レール）
３１  混合物生成部
３２  吐出ノズル
４１  経路集合部（第１流路、第２流路）
４３  連結軸（連結部）
４５  収容部（筒部）
６４ａ  鍔状部
７２  上端（ストッパ）
９１ａ  注口
Ｓ  石鹸液（第１流体）
【図１】
2018002223.tif 000003
【図２】
2018002223.tif 000004
【図３】
2018002223.tif 000005
【図４】
2018002223.tif 000006
【図５】
2018002223.tif 000007
【図６】
2018002223.tif 000008
【図７】
2018002223.tif 000009
【図８】
2018002223.tif 000010